(57)【要約】【課題】作業効率の向上及び風漏れの抑制を図ることができる風洞試験装置を提供する。【解決手段】風洞試験装置１は、送風装置３と、上下方向に昇降可能な上下昇降ダクト部４２、上下昇降ダクト部４２に接続され、上下昇降ダクト部４２の昇降に合わせて上下動可能な伸縮ダクト部４３、及び、伸縮ダクト部４３と平行に延び伸縮ダクト部４３を複数点で支持する支持部４７を有する風洞試験装置用ダクト４と、風洞試験装置用ダクト４及び供試体１０１が配置される試験室２とを備える。上下昇降ダクト部４２を操作可能な操作ハンドル７が試験室２の外部に設けられる。また、支持部４７は、その一端部が上下昇降ダクト部４２に固定されており、上下昇降ダクト部４２の昇降に合わせて上下動するように構成されている。【選択図】      図２
2015175804.tif 000002
【特許請求の範囲】
【請求項１】
気流発生手段と、
気流が流れる通風路を有する筒状の風洞試験装置用ダクトと、
前記風洞試験装置用ダクト及び風洞試験の対象となる供試体が配置される試験室とを備える風洞試験装置であって、
前記風洞試験装置用ダクトは、
一端部が前記気流発生手段に接続された固定ダクト部と、
前記固定ダクト部の他端部に自身の一端部が摺動自在に気密に接続され、上下方向に昇降可能な上下昇降ダクト部と、
前記上下昇降ダクト部の延びる方向と交差する方向に沿って伸縮可能であるととともに、前記上下昇降ダクト部の他端部に自身の一端部が接続され、前記上下昇降ダクト部の昇降に合わせて上下方向に移動可能な伸縮ダクト部と、
前記伸縮ダクト部と平行に延び前記伸縮ダクト部を複数点で支持する支持部とを有し、
前記上下昇降ダクト部を操作可能な操作手段が前記試験室の外部に設けられ、
前記支持部は、その一端部が前記上下昇降ダクト部に固定されており、前記上下昇降ダクト部の昇降に合わせて上下方向に移動するように構成されていることを特徴とする風洞試験装置。
【請求項２】
前記伸縮ダクト部は、複数の筒状体が伸縮可能に嵌合されてなり、
前記支持部に取付けられ、前記支持部の延出方向に沿って移動可能な移動部と、
前記移動部及び前記筒状体を連結するとともに、前記筒状体を支持する連結支持部とを備え、
前記伸縮ダクト部の伸縮に追従して前記移動部が移動可能であることを特徴とする請求項１に記載の風洞試験装置。
【請求項３】
前記伸縮ダクト部の他端部には、気流の吹き出し口が設けられるとともに、
前記伸縮ダクト部は、複数の筒状体が伸縮可能に嵌合されてなり、
前記筒状体を、前記伸縮ダクト部を伸ばした状態にて他端側に隣接する前記筒状体の内周に配置されるように構成したことを特徴とする請求項１又は２に記載の風洞試験装置。
【請求項４】
前記風洞試験装置用ダクトは、前記気流発生手段の給気口と還気口とにそれぞれ接続されて１本ずつ計２本、つまり、前記固定ダクト部、前記上下昇降ダクト部、及び前記伸縮ダクト部とも前記気流発生手段の給気口と前記気流発生手段の還気口とにそれぞれ１本ずつ備わり、片側の前記伸縮ダクト部の他端部は吹き出し口を、残り片側の前記伸縮ダクト部の他端部は吸い込み口を形成することを特徴とする請求項１乃至３のいずれか１項に記載の風洞試験装置。
【請求項５】
前記伸縮ダクト部は、複数の筒状体が伸縮可能に嵌合されてなり、
前記伸縮ダクト部を伸縮させる際に使用者が掴むことのできる取っ手部を、前記供試体に近接する前記筒状体に備え、
前記取っ手部は木製であることを特徴とする請求項１乃至３のいずれか１項に記載の風洞試験装置。
【請求項６】
前記伸縮ダクト部は、複数の筒状体が伸縮可能に嵌合されてなり、
前記伸縮ダクト部を伸縮させるにあたり、前記供試体に近接する前記筒状体を前記支持部に支持する点には滑車が設けられ、前記試験室外部から前記滑車の位置を前記支持部に沿って移動操作可能に構成したことを特徴とする請求項１乃至５のいずれか１項に記載の風洞試験装置。
【発明の詳細な説明】
【技術分野】
【０００１】
本発明は、風洞試験に用いられる風洞試験装置に関する。
【背景技術】
【０００２】
車両用エンジンの空冷部品や車両用部品（例えば、ドアミラー等の後写鏡、前照灯など）等の供試体に向けて風を吹き出すことで、実際の使用時をシミュレートする風洞試験が知られている（例えば、特許文献１等参照）。その場合、車両ボディ全体を風洞に入れるのではなく、車両の一部や部品に対して風を吹き出せる小型の風洞を用いることがある（例えば、特許文献２等参照）。また、風洞試験においては、供試体に吹き付けられる風の温度が比較的広い範囲（例えば、−３０℃以上１２０℃以下のどこかの設定温度）で調節されて、世界の様々な地域での使用も再現できる環境試験的な空気温度で風を吹き付ける場合も多い。
【０００３】
上記車両の一部の部品に対して風を供給する風洞試験に用いられる風洞試験装置においては、その部品が走行状態で地面に対する位置が異なったりすると気流が変化する場合もあるため、供試体のサイズや車両への取り付け高さ、周辺状況等に対応して風の吹き出し口や吸い込み口の位置を調節可能とすることが考えられる。このような吹き出し口等の位置を調節可能な風洞試験装置としては、例えば、図８に示すように、気流が流れる筒状の風洞試験装置用ダクト７１を、上下方向に昇降可能な上下昇降ダクト部７２と、当該上下昇降ダクト部７２に接続され、水平方向に沿って伸縮可能な伸縮ダクト部７３とによって構成することが考えられる。また、このような風洞試験装置７０では、様々な温度条件下での試験に対応可能とすべく、伸縮ダクト部７３を複数の筒状体７５を伸縮可能に嵌合することにより構成するとともに、伸縮ダクト部７３の自重による変形（たわみ）を防止すべく、伸縮ダクト部７３を支持する支持部７４を設けることが考えられる。支持部７４としては、伸縮ダクト部７３を接地状態で支持すべく、図８の上下方向に伸縮可能であるとともに、伸縮ダクト部７３の伸縮に追従して移動可能なキャスターを備えるものが考えられる。さらに、高温又は低温条件下での試験後において、供試体１０１の配置される試験室７６内が低温又は高温である場合であっても、上下昇降ダクト部７２を試験室７６の外部から昇降可能とすべく、上下昇降ダクト部７２の操作手段７７を試験室７６の外部に設けることが考えられる。
【先行技術文献】
【特許文献】
【０００４】
【特許文献１】特許第３３５８９２９号公報
【特許文献２】特開昭６３−０１９５３０号公報
【発明の概要】
【発明が解決しようとする課題】
【０００５】
ところで、上述した風洞試験装置７０では、吹き出し口や吸い込み口の上下位置を調節すべく、上下昇降ダクト部７２を昇降させた場合、伸縮ダクト部７３の変形防止を図るために、支持部７４の長さを調節する必要がある。荷重を支える支持部７４の長さ調節は、試験で高温または低温環境になっている試験室７６内に人が入って回しナットやラチェットを手で回して行うので面倒で手間がかかり、また、安全性確保という面で作業する人に負担が生じる可能性もある。さらに、支持部７４が伸縮ダクト部７３の延長方向に複数あるので、支持部７４それぞれの長さ調節に多少誤りが生じてしまうと、伸縮ダクト部７３の変形（撓みや反り）が生じてしまい、それに伴って伸縮ダクト部７３の部品となっている筒状体７５の、隣接する筒状体７５の継ぎ目から風が抜けてしまう、つまり、伸縮ダクト部７３において風漏れが生じてしまうおそれがある。特に、図８のように、供試体１０１に向けて、筒状体７５を段階的に小さく接続する構成とすると、風を供給する伸縮ダクト部７３で、風の動圧が直接継ぎ目に当たるので風漏れの量が多くなる。
【０００６】
さらに、操作手段７７によって、試験室７６の外部から上下昇降ダクト部７２を昇降可能ではあるが、上述の通り、上下昇降ダクト部７２の位置に合わせて支持部７４の長さを調節する必要があり、結局、試験室７６の内部における作業が必要となる。そのため、試験室７６内が低温又は高温である場合には、安全性等を考慮して、試験室７６内が常温となるまで支持部７４の長さ調節の作業を行うことができず、作業効率の低下を招いてしまうおそれがある。
【０００７】
本発明は、上記事情に鑑みてなされたものであり、その目的は、作業効率の向上及び風漏れの抑制を図ることができる風洞試験装置を提供することにある。
【課題を解決するための手段】
【０００８】
以下、上記目的を解決するのに適した各手段につき、項分けして説明する。なお、必要に応じて対応する手段に特有の作用効果を付記する。
【０００９】
手段１．気流発生手段と、
気流が流れる通風路を有する筒状の風洞試験装置用ダクトと、
前記風洞試験装置用ダクト及び風洞試験の対象となる供試体が配置される試験室とを備える風洞試験装置であって、
前記風洞試験装置用ダクトは、
一端部が前記気流発生手段に接続された固定ダクト部と、
前記固定ダクト部の他端部に自身の一端部が摺動自在に気密に接続され、上下方向に昇降可能な上下昇降ダクト部と、
前記上下昇降ダクト部の延びる方向と交差する方向に沿って伸縮可能であるととともに、前記上下昇降ダクト部の他端部に自身の一端部が接続され、前記上下昇降ダクト部の昇降に合わせて上下方向に移動可能な伸縮ダクト部と、
前記伸縮ダクト部と平行に延び前記伸縮ダクト部を複数点で支持する支持部とを有し、
前記上下昇降ダクト部を操作可能な操作手段が前記試験室の外部に設けられ、
前記支持部は、その一端部が前記上下昇降ダクト部に固定されており、前記上下昇降ダクト部の昇降に合わせて上下方向に移動するように構成されていることを特徴とする風洞試験装置。
【００１０】
上記手段１によれば、伸縮ダクト部が非接地状態で支持されることとなり、上下昇降ダクト部の昇降に合わせて支持部が上下方向に移動するため、支持部の高さ方向の長さ調節等の面倒で手間のかかる作業が不要となり、作業効率を高めることができる。また、従来のような支持部の長さ調節等が不要となることから、長さ調節の誤りによる伸縮ダクト部の変形（たわみや反り）が生じなくなり、変形に伴う伸縮ダクト部における風漏れを防止することができる。その結果、所望の風量をより確実に得ることができる。
【００１１】
さらに、操作手段によって、試験室の外部から上下昇降ダクト部を昇降させた際に、支持部も上下昇降ダクト部に合わせて上下動するため、支持部の高さ方向への調節に関する試験室の内部における作業が不要となる。そのため、試験室の内部が低温又は高温である場合であっても、試験室の外部から吹き出し口等の上下位置を簡易に調節することができ、作業効率を一層向上させることができる。また、支持部に関する作業のために試験室の内部に入る必要がなくなるため、安全性の向上を図ることができる。
【００１２】
手段２．前記伸縮ダクト部は、複数の筒状体が伸縮可能に嵌合されてなり、
前記支持部に取付けられ、前記支持部の延出方向に沿って移動可能な移動部と、
前記移動部及び前記筒状体を連結するとともに、前記筒状体を支持する連結支持部とを備え、
前記伸縮ダクト部の伸縮に追従して前記移動部が移動可能であることを特徴とする手段１に記載の風洞試験装置。
【００１３】
上記手段２によれば、比較的簡易な構造によって、伸縮ダクト部の伸縮を阻害することなく、支持部を上下昇降ダクト部の昇降に合わせて上下方向に移動させることができる。従って、装置の簡素化や製造等に係るコストの低減を図ることができる。
【００１４】
手段３．前記伸縮ダクト部の他端部には、気流の吹き出し口が設けられるとともに、
前記伸縮ダクト部は、複数の筒状体が伸縮可能に嵌合されてなり、
前記筒状体を、前記伸縮ダクト部を伸ばした状態にて他端側に隣接する前記筒状体の内周に配置されるように構成したことを特徴とする手段１又は２に記載の風洞試験装置。
【００１５】
図８に示すように、特に吹き出し口側（図８の左側）の伸縮ダクト部７３を、供試体１０１に接近する側ほど筒状体７５のサイズが小さくなるように構成し、供試体１０１に供給される風量の低減防止等を図ることが考えられる。しかしながら、この場合には、図９に示すように、隣接する筒状体７５同士のオーバーラップする領域であって、外側に位置する筒状体７５の内面と内側に位置する筒状体７５の外面との間に位置する領域７８が、風の流れ方向（図９中の矢印方向）の上流側に向けて開口するような状態となる。そのため、前記領域７８へと風が入りやすくなってしまい、隣接する筒状体７５間からの風の抜け、つまり、伸縮ダクト部７３における風漏れが生じやすくなってしまうおそれがある。
【００１６】
この点、上記手段３によれば、筒状体は、伸縮ダクト部を伸ばした状態にて他端側（供試体側）に隣接する筒状体の内周に配置されるように構成されている。つまり、少なくとも風の吹き出し口側を担当する伸縮ダクト部は、供試体に接近する側ほど筒状体のサイズが大きくなるように構成されている。そのため、隣接する筒状体同士のオーバーラップする領域が、風の流れ方向下流側に向けて開口するような状態となる。従って、前記領域に風が入りにくくなり、隣接する筒状体間から風が抜けてしまうことをより確実に防止できる。その結果、伸縮ダクト部における風漏れの発生を一層抑制することができ、所望の風量を一層確実に得ることができる。
【００１７】
手段４．前記風洞試験装置用ダクトは、前記気流発生手段の給気口と還気口とにそれぞれ接続されて１本ずつ計２本、つまり、前記固定ダクト部、前記上下昇降ダクト部、及び前記伸縮ダクト部とも前記気流発生手段の給気口と前記気流発生手段の還気口とにそれぞれ１本ずつ備わり、片側の前記伸縮ダクト部の他端部は吹き出し口を、残り片側の前記伸縮ダクト部の他端部は吸い込み口を形成することを特徴とする手段１乃至３のいずれかに記載の風洞試験装置。
【００１８】
上記手段４によれば、試験室内に供試体を設置し、吹き出し口及び吸い込み口を供試体に近づけて設置することで、試験室内にプッシュ―プル流れによる風洞が形成され、ほぼ循環型の風洞試験装置を形成できる。
【００１９】
手段５．前記伸縮ダクト部は、複数の筒状体が伸縮可能に嵌合されてなり、
前記伸縮ダクト部を伸縮させる際に使用者が掴むことのできる取っ手部を、前記供試体に近接する前記筒状体に備え、
前記取っ手部は木製であることを特徴とする手段１乃至４のいずれかに記載の風洞試験装置。
【００２０】
上記手段５によれば、取っ手部が木製であるため、取っ手部が過度に高温又は低温の状態で維持されてしまうことをより確実に抑制できる。その結果、伸縮ダクト部を伸縮させるときにおける安全性を一層高めることができる。また、試験後において、比較的早期に取っ手部を用いて伸縮ダクト部を伸縮させることができ、作業効率をより向上させることができる。さらに、これらの効果を非常に低廉に得ることができる。
【００２１】
手段６．前記伸縮ダクト部は、複数の筒状体が伸縮可能に嵌合されてなり、
前記伸縮ダクト部を伸縮させるにあたり、前記供試体に近接する前記筒状体を前記支持部に支持する点には滑車が設けられ、前記試験室外部から前記滑車の位置を前記支持部に沿って移動操作可能に構成したことを特徴とする手段１乃至５のいずれかに記載の風洞試験装置。
【００２２】
上記手段６によれば、操作手段によって、試験室の外部から上下伸縮ダクト部を昇降させた際に、支持部も上下昇降ダクト部に合わせて上下動するため、伸縮ダクト部の供試体に面する筒状体は軽い力で移動可能なので、供試体の近傍の筒状体の支持点に（対応する）滑車を設け、当該滑車の位置を支持部に沿って試験室外部から移動操作可能とすることで（つまり、試験室外部から水平方向へ移動操作可能な滑車機構を設けることで）、支持部の水平方向への調節に関する試験室の内部における作業が不要となる。そのため、試験室の内部が低温または高温である場合であっても、試験室の外部から吹き出し口等の水平位置を簡易に調節することができ、作業効率を一層向上させることができる。
【図面の簡単な説明】
【００２３】
【図１】風洞試験装置の構成を示す一部破断平面図である。
【図２】風洞試験装置の構成を示す一部破断正面図である。
【図３】上下昇降ダクト部を上昇させた状態を示す一部破断正面図である。
【図４】伸縮ダクト部を縮めた状態を示す一部破断正面図である。
【図５】伸縮ダクト部を大きく縮めた状態を示す一部破断拡大正面図である。
【図６】伸縮ダクト部の断面図である。
【図７】別の実施形態における支持部等を示す一部破断正面図である。
【図８】従来技術における風洞試験装置の構成を示す一部破断正面図である。
【図９】従来技術における伸縮ダクト部の断面図である。
【図１０】別の実施形態における滑車等を示す一部破断平面図である。
【発明を実施するための形態】
【００２４】
以下に、一実施形態について図面を参照しつつ説明する。図１及び図２に示すように、風洞試験装置１は、試験室２と、気流発生手段としての送風装置３と、当該送風装置３に接続された２つの風洞試験装置用ダクト４とを備えている。
【００２５】
試験室２は、四方を取り囲む側壁部２１と、側壁部２１の上方を塞ぐ天井部２２とを備えている。また、側壁部２１には、試験室２に対する作業員の出入りを可能とする出入り口部２３と、当該出入り口部２３を開閉可能な扉部２４とが設けられており、扉部２４により出入り口部２３を閉鎖することによって、試験室２内が密閉されるようになっている。尚、出入り口部２３及び扉部２４は、試験室２の中央を挟んで前後にそれぞれ一対設けられている。また、試験室２の中央には、風洞試験の対象となる供試体１０１（例えば、エンジン、例えば、ドアミラー等の後写鏡、前照灯などの車両用部品など）が配置されるようになっている。さらに、試験室２の外部には、エンジンを供試体１０１とする場合に備えて、エンジンを動作させるためのダイナモ５が設けられている。前照灯等を供試体１０１とする場合は、電源供給ケーブルなどを外部から試験室２内部へ設置する場合もある。
【００２６】
送風装置３は、試験室２の外部上方に配置されており、図示しないファン、給気口及び還気口等により構成されている。そして、送風装置３の前記給気口から一方（吹き出し側）の風洞試験装置用ダクト４へと送風が行われることで、一方の風洞試験装置用ダクト４から供試体１０１に対する送風が行われるようになっている。また、供試体１０１へと吹き出された風は、他方（吸い込み側）の風洞試験装置用ダクト４を通って送風装置３の前記還気口へと戻るようになっている。つまり、送風装置３及び２本の風洞試験装置用ダクト４によって気体が循環するように構成されており、供試体１０１に対する連続的な送風が行われるようになっている。尚、後述のように、供試体１０１に対して一方（片側）の風洞試験装置用ダクト４がその近傍まで移動し、他方（残り片側）の風洞試験装置用ダクト４も前記一方の風洞試験装置用ダクト４に近づくので（図２参照）、供試体１０１の周囲にはダクトは存在しないものの強いプッシュ―プル流れが形成され、ほぼ連続した風洞とみることができ、気体が循環している状況となっている。
【００２７】
また、風洞試験装置１には、送風装置３と一体又は別体で、供試体１０１に向けて吹き出す風の温度を調節可能な温調装置（図示せず）が設けられており、当該温調装置によって、広範な温度条件下（例えば、−３０℃〜１２０℃のどこかの設定温度）で風洞試験を行うことができるようになっている。
【００２８】
風洞試験装置用ダクト４は、内部に気流が流れる通風路を有する筒状をなしており、固定ダクト部４１と、上下昇降ダクト部４２と、伸縮ダクト部４３と、支持機構４４とを備えている。尚、本実施形態において、２つの風洞試験装置用ダクト４は、試験室２の中央を挟んでほぼ対称となるようにして設けられている。また、一方の風洞試験装置用ダクト４（図１等における左側の風洞試験装置用ダクト４）は、供試体１０１に向けて吹き出す風の通風路となるものであり、他方の風洞試験装置用ダクト４（図１等における右側の風洞試験装置用ダクト４）は、吸い込まれた風の通風路とものである。本実施形態において、両風洞試験装置用ダクト４はほぼ同一の構成となっている。
【００２９】
固定ダクト部４１は、試験室２の上方においてＬ字状に屈曲するようにして設けられている。一方の固定ダクト部４１の一端部は、送風装置３の前記給気口に接続されており、他方の固定ダクト部４１の一端部は、送風装置３の前記還気口に接続されている。
【００３０】
上下昇降ダクト部４２は、上下方向に沿って延びる筒状をなすとともに、自身の長手方向と直交する断面において矩形状とされている。また、上下昇降ダクト部４２の上端部には、前記固定ダクト部４１の他端部が挿通され、上下昇降ダクト部４２の上端部が固定ダクト部４１の他端部に対し摺動自在に気密に接続されている。
【００３１】
さらに、上下昇降ダクト部４２は、所定の昇降装置６上に載置されている。そして、昇降装置６の作動に伴い、昇降装置６のうち上下昇降ダクト部４２の載置された部位が上下動することで、図３に示すように、供試体１０１の配置高さに合わせて、上下昇降ダクト部４２を上下方向に昇降させることができるようになっている。
【００３２】
尚、昇降装置６は、試験室２の外部に設けられた、操作手段としての操作ハンドル７によって、例えば、操作ハンドル７により回転されるボールねじによりジャッキ部のパンタが水平方向に伸縮することで機械的に動作するラフターである。そして、操作ハンドル７を操作することにより昇降装置６が上下動し、これにより、試験室２の外部から上下昇降ダクト部４２を昇降させることができるようになっている。
【００３３】
伸縮ダクト部４３は、その一端部が上下昇降ダクト部４２に接続されており、上下昇降ダクト部４２の昇降に合わせて上下方向に移動するように構成されている。また、伸縮ダクト部４３は、四角筒状をなす複数の筒状体４５が伸縮可能に嵌合されてなり、上下昇降ダクト部４２の延びる方向と交差する方向（本実施形態では、水平方向）に沿って伸縮可能に構成されている。これにより、図４に示すように、供試体１０１のサイズ等に合わせて、伸縮ダクト部４３の他端部の位置（つまり、気流の吹き出し口や吸い込み口の位置）を調節することができるようになっている。
【００３４】
また、本実施形態において、伸縮ダクト部４３を伸長させた状態では、試験室２の出入り口部２３から供試体１０１の配置位置までの作業者等の動線上に伸縮ダクト部４３が存在するように構成されているが、図５に示すように、伸縮ダクト部４３を大きく縮めることで、出入り口部２３から供試体１０１の配置位置までの作業者等の動線上に伸縮ダクト部４３が存在しないようにすることができる。そのため、出入り口部２３を用いての供試体１０１の入れ替え等が容易に行えるようになっている。
【００３５】
加えて、伸縮ダクト部４３の上面には、伸縮ダクト部４３を伸縮させる際に作業者等が掴むことのできる取っ手部４６が設けられている。本実施形態において、取っ手部４６は木製であり、供試体１０１に近接する（供試体１０１の近傍に配置される）筒状体４５に設けられている。ここで、試験室２における供試体１０１及び気流の吹き出し口や吸い込み口の設置については、各種供試体１０１を出入り口部２３を用いて入れ替える際に、その前の試験終了後、試験室２内部を供試体１０１の入替えに支障のない常温に近い温度になるのを待ってから入替えを行う。供試体１０１の設置後、伸縮ダクト部４３の他端部である気流の吹き出し口や吸い込み口を供試体１０１に近づけることとなるので、位置調整はここ（取っ手部４６）でできることとなる。取っ手部４６が木製なので、伸縮ダクト部４３に残留熱があったとしても、優れた断熱材である木製の取っ手部４６は容易に掴んで移動させることが可能である。
【００３６】
加えて、一方（図１等の左側）の風洞試験装置用ダクト４における伸縮ダクト部４３の他端部は、気流の吹き出し口４３Ａを構成している（図１等参照）。また、他方（図１等の右側）の風洞試験装置用ダクト４における伸縮ダクト部４３の他端部は、気流の吸い込み口４３Ｂを構成している（図１参照）。そして、図６に示すように、少なくとも気流の吹き出し口４３Ａ側を担当する伸縮ダクト部４３において（本実施形態では、吹き出し側及び吸い込み側の伸縮ダクト部４３の双方において）、筒状体４５は、伸縮ダクト部４３を伸ばした状態にて他端側（供試体１０１側）に隣接する筒状体４５の内周に配置されている。つまり、少なくとも気流の吹き出し口側を担当する伸縮ダクト部４３は、供試体１０１に接近する側ほど筒状体４５のサイズが大きくなるように構成されている。そのため、隣接する筒状体４５同士のオーバーラップする領域であって、外側に位置する筒状体４５の内面と内側に位置する筒状体４５の外面との間に位置する領域４０は、風の流れ方向（図６中の矢印方向）の下流側に向けて開口するような状態となっている。
【００３７】
図１及び図２に戻り、支持機構４４は、伸縮ダクト部４３の上方において伸縮ダクト部４３と略平行に配置されており、伸縮ダクト部４３を吊り下げて支持するものである。支持機構４４は、それぞれ伸縮ダクト部４３の伸縮方向に沿って延びるとともに、平行に並べて配設された２本のレール状の支持部４７と、当該支持部４７に取付けられるとともに、支持部４７の延出方向に沿って移動可能な移動部としての滑車部４８と、当該滑車部４８及び前記筒状体４５を連結するとともに、筒状体４５を吊り下げて支持する連結支持部４９とを備えている。そして、伸縮ダクト部４３の伸縮時には、筒状体４５の移動に従って滑車部４８及び連結支持部４９が支持部４７に沿って移動するようになっている。
【００３８】
加えて、支持機構４４の一端部（支持部４７の一端部）は、上下昇降ダクト部４２に固定されており、支持部４７は、上下昇降ダクト部４２の昇降に合わせて上下方向に移動するようになっている。これにより、支持部４７及び伸縮ダクト部４３は、上下昇降ダクト部４２の昇降に合わせて上下動し、支持部４７及び伸縮ダクト部４３の上下方向に沿った相対位置は常に一定に保たれるようになっている。その結果、伸縮ダクト部４３は、その伸縮状態がどのような状態であっても、常に支持部４７によって非接地状態で支持されるようになっている。
【００３９】
以上詳述したように、本実施形態によれば、伸縮ダクト部４３が非接地状態で支持されることとなり、上下昇降ダクト部４２の昇降に合わせて支持部４７が上下方向に移動するため、支持部の高さ方向の長さ調節等の面倒で手間のかかる作業が不要となり、作業効率を高めることができる。また、従来のような支持部の長さ調節等が不要となることから、長さ調節の誤りによる伸縮ダクト部４３の変形（たわみや反り）が生じなくなり、変形に伴う伸縮ダクト部４３における風漏れを防止することができる。その結果、所望の風量をより確実に得ることができる。
【００４０】
さらに、操作ハンドル７によって試験室２の外部から上下昇降ダクト部４２を昇降させた際に、支持部４７も上下昇降ダクト部４２に合わせて上下動するため、支持部の高さ方向への調節に関する試験室２の内部における作業が不要となる。そのため、試験室２の内部が低温又は高温である場合であっても、試験室２の外部から吹き出し口４３Ａ等の上下位置を簡易に調節することができ、作業効率を一層向上させることができる。また、支持部に関する作業のために試験室２の内部に入る必要がなくなるため、安全性の向上を図ることができる。
【００４１】
加えて、本実施形態によれば、比較的簡易な構造によって、伸縮ダクト部４３の伸縮を阻害することなく、支持部４７を上下昇降ダクト部４２の昇降に合わせて上下方向に移動させることができる。従って、風洞試験装置１の簡素化や製造等に係るコストの低減を図ることができる。
【００４２】
さらに、少なくとも風の吹き出し口４３Ａ側を担当する伸縮ダクト部４３は、供試体１０１に接近する側ほど筒状体４５のサイズが大きくなるように構成されている。そのため、隣接する筒状体４５同士のオーバーラップする領域４０が、風の流れ方向下流側に向けて開口するような状態となる。従って、前記領域４０に風が入りにくくなり、隣接する筒状体４５間から風が抜けてしまうことをより確実に防止できる。その結果、伸縮ダクト部４３における風漏れの発生を一層抑制することができ、所望の風量を一層確実に得ることができる。
【００４３】
加えて、本実施形態によれば、試験室２内に供試体１０１を設置し、吹き出し口４３Ａ及び吸い込み口４３Ｂを供試体１０１に近づけて設置することで、試験室２内にプッシュ―プル流れによる風洞を形成することができ、その結果、ほぼ循環型の風洞試験装置１を形成することができる。
【００４４】
また、取っ手部４６が木製であるため、取っ手部４６が過度に高温又は低温の状態で維持されてしまうことをより確実に抑制できる。その結果、伸縮ダクト部４３を伸縮させるときにおける安全性を一層高めることができる。また、試験後において、比較的早期に取っ手部４６を用いて伸縮ダクト部４３を伸縮させることができ、作業効率をより向上させることができる。さらに、これらの効果を非常に低廉に得ることができる。
【００４５】
尚、上記実施形態の記載内容に限定されず、例えば次のように実施してもよい。勿論、以下において例示しない他の応用例、変更例も当然可能である。
【００４６】
（ａ）上記実施形態において、支持機構４４は、伸縮ダクト部４３をその上方から吊り下げて支持するように構成されているが、支持機構４４の構成はこれに限定されるものではない。従って、例えば、図７に示すように、支持機構５１が伸縮ダクト部４３をその下方から支持するように構成してもよい。また、支持機構が伸縮ダクト部４３を側方（例えば、両側）から支持するように構成してもよい。但し、供試体１０１の入れ替え時などを考慮すると、比較的上方に支持部を設けることが好ましい。そのため、支持部は、伸縮ダクト部４３の上方に配置することが好ましい。
【００４７】
（ｂ）伸縮ダクト部４３を構成する筒状体４５の数は特に限定されるものではなく、適宜変更可能である。
【００４８】
（ｃ）上記実施形態では、吹き出し側及び吸い込み側の伸縮ダクト部４３の双方において、供試体１０１に接近する側ほど筒状体４５のサイズが大きくなるように構成されているが、必ずしもこのように構成する必要はない。従って、例えば、吹き出し側の伸縮ダクト部４３においてのみ、供試体１０１に接近するほど筒状体４５のサイズが大きくなるように構成し、吸い込み側の伸縮ダクト部４３においては、供試体１０１に接近するほど筒状体４５のサイズが小さくなるように構成してもよい。また、例えば、吹き出し側及び吸い込み側の伸縮ダクト部４３の双方において、供試体１０１に接近するほど筒状体４５のサイズが小さくなるように構成してもよい。
【００４９】
（ｄ）上記実施形態では、吹き出し側の風洞試験装置用ダクト４と吸い込み側の風洞試験装置用ダクト４とが設けられているが、吹き出し側の風洞試験装置用ダクト４のみを設けることとしてもよい。つまり、風洞試験装置１に設けられる風洞試験装置用ダクト４は必ずしも複数である必要はなく、１つのみであってもよい。
【００５０】
（ｅ）上記実施形態では、支持機構４４は、それぞれ伸縮ダクト部４３の伸縮方向に沿って延びるとともに、伸縮ダクト部４３と平行に並び配設された支持部４７と、当該支持部４７に取付けられるとともに、支持部４７の延出方向に沿って移動可能な移動部としての滑車部４８と、当該滑車部４８及び前記筒状体４５を連結するとともに、筒状体４５を吊り下げて支持する連結支持部４９とを備えていて、他端部の筒状体４５の取っ手部４６を掴んで移動させると、従動して連結支持部４９とその支持元となる滑車部４８とが成り行きで移動している。これに対し、図１０に示すように、滑車部４８に同期して回転する滑車６１を滑車部４８と平行に設置して、その滑車６１に試験室２の外部へ延長する紐状体６２を掛けまわすことで、伸縮ダクト部４３を伸縮させるにあたり、試験室２の外部から紐状体６２を操作し、滑車６１を回転させることで、供試体１０１に近接する筒状体４５を支持する滑車部４８の位置を、試験室２外部から支持部４７の延出方向に沿って移動操作できる構成としても良い。これにより、試験室２外部から水平方向へ移動する滑車機構６３（滑車６１及び紐状体６２からなる機構）で、支持部の水平方向への調節に関する試験室２の内部における作業が不要となる。そのため、試験室２の内部が低温または高温である場合であっても、試験室２の外部から吹き出し口４３Ａ等の水平位置を簡易に調節することができ、作業効率を一層向上させることができる。
【符号の説明】
【００５１】
１…風洞試験装置、２…試験室、３…送風装置（気流発生手段）、４…風洞試験装置用ダクト、４１…固定ダクト部、４２…上下昇降ダクト部、４３…伸縮ダクト部、４３Ａ…吹き出し口、４３Ｂ…吸い込み口、４４…支持機構、４５…筒状体、４６…取っ手部、４７…支持部、４８…滑車部（移動部）、４９…連結支持部、６１…滑車、１０１…供試体。
【図１】
2015175804.tif 000003
【図２】
2015175804.tif 000004
【図３】
2015175804.tif 000005
【図４】
2015175804.tif 000006
【図５】
2015175804.tif 000007
【図６】
2015175804.tif 000008
【図７】
2015175804.tif 000009
【図８】
2015175804.tif 000010
【図９】
2015175804.tif 000011
【図１０】
2015175804.tif 000012